(57)【要約】【課題】斬新な舞台演出が可能な舞台演出装置を提供する。【解決手段】舞台演出装置Ｓは、駆動モータを介して水平方向に回転可能な回転体１２と、当該回転体１２とリンク１４を介して連結されて前記回転体１２に対し平行運動し、水平方向に伸縮可能なフレーム１５と、当該フレーム１５の先端部に取り付けられる台座１８と、前記リンク１４を傾倒可能に制御する制御手段と、前記回転体１２の回転角度を制御する回転制御手段と、前記フレーム１５の伸縮状態を制御する伸縮制御手段と、前記回転体１２に対してフレーム１５を傾斜させる傾斜手段と、前記フレーム１５を傾斜させたときに前記台座１８の水平状態を維持する水平維持制御手段と、を備えている。【選択図】図２
2009201698.tif 000002
【特許請求の範囲】
【請求項１】
駆動モータを介して水平方向に回転可能な回転体と、
当該回転体とリンクを介して連結されて前記回転体に対し平行運動し、水平方向に伸縮可能なフレームと、
当該フレームの先端部に取り付けられる台座と、
前記リンクを傾倒可能に制御する制御手段と、
前記回転体の回転角度を制御する回転制御手段と、
前記フレームの伸縮状態を制御する伸縮制御手段と、
前記回転体に対してフレームを傾斜させる傾斜手段と、
前記フレームを傾斜させたときに前記台座の水平状態を維持する水平維持制御手段と、
を備えていることを特徴とする舞台演出装置。
【請求項２】
舞台の下部空間に収納可能であって、前記台座とフレームの一部が前記舞台の床面の一部として機能することを特徴とする請求項１に記載の舞台演出装置。
【請求項３】
前記水平維持制御手段は、
前記フレームの傾斜角度にしたがってロッドが伸縮する油圧シリンダと、
前記台座にロッドが取り付けられる他の油圧シリンダと、
互いに前記油圧シリンダ内の油が行き来可能な油流路と、を備え、
前記油圧シリンダのロッドの伸縮に応じて、他の油圧シリンダのロッドが前記油圧シリンダのロッドの伸縮方向と異なる方向に伸縮することを特徴とする請求項１、又は２に記載の舞台演出装置。
【発明の詳細な説明】
【技術分野】
【０００１】
本願は、劇場やホールなどに設けられている舞台に設置される舞台演出装置に関する。
【背景技術】
【０００２】
一般にコンサートなどでは、様々な態様でコンサートを盛り上げるための演出が行われる。その一例として、例えば、歌手をクレーンなどで舞台上方に吊り上げ、左右に移動させる演出が知られている。
【０００３】
また、お客がコンサート会場まで足を運ぶという行為は、曲を生で聴くことは勿論、生で歌手を見たいという側面が非常に強いと考えられる。
【発明の開示】
【発明が解決しようとする課題】
【０００４】
しかしながら、歌手を空中に吊り上げる演出は、舞台上方の空間を有効活用できるという利点があるものの、非常に危険が伴うなど安全上の問題がある。また、歌手を吊り上げる手法は、不安定であるため上下左右の移動を自由に行いづらいという問題がある。
【０００５】
また、コンサート会場において、客席から舞台までの距離は近いとはいえず、舞台近くに座れれば非常に楽しいものの、例えば、２階席などはほとんど歌手の顔を見ることはできず、あまり楽しめないことも多い。よって、会場内の雰囲気も舞台に近ければ近いほど盛り上がる傾向が強いと考えられる。
【０００６】
また、コンサート会場に設けられている舞台に、歌舞伎等が行われる劇場に設けられている花道と称される通路を設けることで従来よりも多くのお客に歌手が接近できるものの、例えば、２階席のお客と歌手との距離はほとんど変わらず、当該２階席のお客に対しては、１階席のお客と同等の感動を与えることは難しい。
【０００７】
さらに、お客を楽しませる上で、舞台演出は必要不可欠であるものの、なかなか新たな舞台演出を見出すのは困難である。
【０００８】
本発明は、上記各問題点の解決を課題の一例として為されたもので、斬新な舞台演出が可能な舞台演出装置を提供することを目的とする。
【課題を解決するための手段】
【０００９】
上記課題を解決するために、請求項１に記載の舞台演出装置は、駆動モータを介して水平方向に回転可能な回転体と、当該回転体とリンクを介して連結されて前記回転体に対し平行運動し、水平方向に伸縮可能なフレームと、当該フレームの先端部に取り付けられる台座と、前記リンクを傾倒可能に制御する制御手段と、前記回転体の回転角度を制御する回転制御手段と、前記フレームの伸縮状態を制御する伸縮制御手段と、前記回転体に対してフレームを傾斜させる傾斜手段と、前記フレームを傾斜させたときに前記台座の水平状態を維持する水平維持制御手段と、を備えていることを特徴とする。
【発明を実施するための最良の形態】
【００１０】
以下、本願の最良の実施形態について、図１乃至図６を用いて詳細に説明する。図１は劇場の内部構成図、図２は舞台演出装置の構成図、図３は舞台演出装置の部分拡大図、図４は台座を水平状態に維持するための機構を説明するための図、図５は舞台演出装置を通路下方に収容した際の平面図、図６は舞台演出装置の平面図である。本実施形態は、一例として、歌舞伎などの劇場の花道と称される通路に舞台演出装置Ｓを適用したものであるが、この実施形態に限定されるものではなく、例えば、コンサートホールの舞台から客席側に突出して設けた通路に適用することも可能である。
【００１１】
図１に示すように、劇場２は、客席４と、客席４の正面に段差を有して設けられた舞台５と、を備え、当該舞台５は、客席４を横切るように配置される花道と称される通路５ａを有している。この通路５ａは、舞台５とほぼ同じ高さを有しており、図示しない客席裏の室内に連絡している。
【００１２】
客席４は、例えば、高低差のある１階席６と２階席７とを備え、それぞれの空間には複数の椅子が並べて配置され、且つ舞台５を一望することが可能に配置されている。
【００１３】
舞台演出装置Ｓは、通路５ａの下部空間に設けられ、図１に示すように、その一部が通路５ａの床面の一部として機能する。すなわち、通路５ａは平坦になっており、舞台５上の演技者は自由に通路５上を通過することが可能となっている。そして、舞台演出装置Ｓは、舞台５ａの下部空間を格納部として、当該格納部から舞台５上へ出没可能に設けられる。
【００１４】
舞台演出装置Ｓは、図２及び図３に示すように、図示しないフレームなどで構成された基台１１上に駆動モータを介して回転可能に設けられた回転体１２と、その回転体１２と前後左右に設けられたリンク１４を介して連結されて前記回転体１２に対し上下に平行運動するフレーム１５と、そのフレーム１５の先端部に取り付けられた台座１８と、を備えている。
【００１５】
図示しないが、回転体１２は、その外周にチェーンと噛み合う凹凸が形成され、当該チェーンは所定の歯車群を介して駆動モータと連結されている。そして、当該駆動モータの駆動により回転体１２はチェーンを介して回転する。
【００１６】
図３に示すように、回転体１２と前方のリンク１４の間には、リンク１４の起立／傾倒動作用の伸縮装置２０が左右に設けられている。伸縮装置２０は、例えば、ロッド２１を有する油圧シリンダ２２と、図示しないが当該油圧シリンダ２２内の油圧を調整してロッド２１の伸縮状態を制御する油圧制御装置と、を備えている。そして、油圧制御装置の制御によってロッド２１が最大限に伸びた時には、リンク１４が起立し、ロッド２１が最小限に縮んだ時には、リンク１４が後方に傾倒する。フレーム１５は、上記に示すような制御の結果、ロッド２１の伸縮にしたがって、リンク１４を介して回転体１２に対して水平運動し上下方向に移動可能になっている。
【００１７】
また、舞台演出装置Ｓは、リンク１４が起立した時に、通路５ａの上面にフレーム１５、及び台座１８が現れ、リンク１４が傾倒した時に、通路５ａの下部空間に収容される。すなわち、舞台演出装置Ｓは、伸縮装置２０の駆動によって、通路５ａの下部空間から舞台５上へ出没可能となっている。
【００１８】
また、フレーム１５と後方のリンク１４に掛け渡された軸（図示なし）の間には、フレーム１５の傾斜角度調整用の伸縮装置２５が設けられている。伸縮装置２５は、例えば、ロッド２６を有する油圧シリンダ２７と、図示しないが当該油圧シリンダ内の油量を調整してロッド２６の伸縮状態を制御する油圧制御装置と、を備えている。そして、油圧制御装置の制御によってロッド２６が最大限に伸びた時には、フレーム１５の先端部の高さが最大となり、ロッド２６が最小限に縮んだ時には、通路５ａの床面と水平状態を保つ。フレーム１５は、上記に示すような制御の結果、図２に示すように、ロッド２６の伸縮にしたがって、通路５ａの床面に対して傾斜可能になっている。
【００１９】
さらにフレーム１５は、図２及び図５に示すように、主フレーム１６と、当該主フレームと略同一の長さを有する延長フレーム１７と、を備え、主フレーム１６の内側に延長フレーム１７を収容している。当該延長フレーム１７は、主フレーム１６の先端部から突出し、軸線方向に伸縮可能に構成される。すなわち、フレーム１５は、延長フレーム１７が主フレーム１６の先端から伸縮することで、フレーム全体として伸縮可能になっている。
【００２０】
具体的には、延長フレーム１７は、図示しないが、フレーム１５の上端部の前後方向に延びて取り付けられているガイドレールを介してその軸線方向に摺動可能に連結されている。また、ガイドレールの長手方向両端部にはスプロケットを介してチェーンが掛け渡されて配置され、一方のスプロケットには駆動モータが取り付けられている。他方のスプロケットにはピニオン軸が連結し、ガイドレール上に設けられたラックと当該ピニオン軸とが噛みあって、当該ラックを介して延長フレーム１７が主フレーム１６に対してその軸線方向に移動可能となっている。
【００２１】
なお、主フレーム１６に対して延長フレーム１７を伸縮自在に駆動できれば、本実施形態に限られずどのような形態であっても構わない。
【００２２】
また、フレーム１５は、複数の棒状体を組み合わせて構成され、断面形状が略逆三角形状に形成されている。このような形状とすることで、客席４から当該フレーム１５を見たときに当該フレーム１５が視覚的にスリムに見えるためフレーム１５が強調されにくくなり好ましい。また、フレーム１５に対しその軸線方向に等間隔に光を反射する反射体を設けることで、舞台演出装置Ｓを照らす光が当該反射体で反射するため、客席４に座っているお客に対して視覚的にフレーム１５を見えにくくすることが可能である。
【００２３】
また、図２に示すように、延長フレーム１７の先端部には演技者が乗るための台座１８が設けられている。台座１８は演技者が乗るための略半円形状をした基体２６と、その基体２６後方下方に伸びる支持体２７と、当該支持体２７の下端部と基体２６の前方を繋ぐ湾曲体２８と、を備えている。
【００２４】
台座１８は、支持体２７の下端部で延長フレーム１７の先端下端部と回動可能に連結される。また、延長フレーム１７の先端上端部と支持体２７の上端部の間には、図示しないが延長フレーム１７に対する台座１８の角度を調整するための伸縮装置３０（図４参照）が設けられている。
【００２５】
また、フレーム１５の後端部と後方のリンク１４に掛け渡された軸（図示なし）の間には、フレーム１５の傾斜角度に応じてロッドが伸縮する伸縮装置３５（図４参照）が設けられている。図４に示すように、当該伸縮装置３０、３５は、それぞれがロッドを有する油圧シリンダで構成され、各油圧シリンダの内部は、ロッドに取り付けられた仕切体３７、３８によって内部が区分けされている。また、両方の油圧シリンダには、それぞれが各油圧シリンダの異なる側の室内に連絡するように油が通過する連絡通路（油流路）３９、４０が設けられている。
【００２６】
そして、フレーム１５が床面に対して傾斜すると伸縮装置３５のロッドが縮み、伸縮装置３５の一方の室内の油が連絡通路３９を介して他の伸縮装置３０の他方の室内に流れ込み、当該他の伸縮装置３０のロッドが伸びて台座１８の支持体２７上部を押圧し、台座１８が水平状態を維持するようになっている。一方、フレーム１５が床面に対して平行になると伸縮装置３５のロッドが伸び、伸縮装置３５の他方の室内の油が連絡通路４０を介して他の伸縮装置３０の一方の室内に流れ込み、当該他の伸縮装置３０のロッドが縮み台座１８の支持体２７上部が後方に倒れ込み、台座１８が水平状態を維持するようになっている。このように本実施形態の舞台演出装置Ｓは、基体１１に対するフレーム１５の傾斜角度が大きくなるにつれ、伸縮装置３５のロッドが伸びる一方で、伸縮装置３０のロッドが縮み、当該台座１８の水平状態を保つようになっている。
【００２７】
このようにすれば、フレーム１５の床面に対する傾斜角度に応じて台座１８を水平状態に保つことが簡単な構成で可能となる。また、台座１８は、油が単に伸縮装置３０、３５の油圧シリンダ内を交互に移動するだけで水平状態に保たれるため、当該台座１８を水平に保つための制御を必要とせず、製造コストの削減に役立つ。
【００２８】
また、図２に示すように、台座１８にはその後端部に背もたれ用の支持体５０が着脱可能に基体２６に対して立設して取り付け可能となっている。また、支持体５０は、台座１８に演技者が乗った時に、当該演技者がバランスを保持するために使用するものである。
また、図示しないが、各伸縮装置２０、２５に対応する伸縮制御装置や各駆動モータは、図示しない制御部により制御される。当該制御部は、例えば、ＣＰＵ（Central Processing Unit）、ＲＡＭ（Random Access Memory）、ＲＯＭ（Read Only Memory）等を備え、当該ＣＰＵが、ＲＯＭなどに記憶された舞台演出装置制御処理用プログラム等の各種プログラムを読み出し実行することにより、舞台演出装置Ｓ内の各部を統括制御するものである。この舞台演出装置制御処理用プログラムとは、フレーム１５の左右方向の回転制御、フレーム１５の傾斜制御、又はフレーム１５の伸縮制御を行うための処理プログラムである。
【００２９】
次に、本実施形態の舞台演出装置の動作について説明する。
【００３０】
本実施形態の舞台演出装置Ｓは、演技者が通路５ａ上に臨む台座１８に立つことで動作させる。初めに、伸縮制御装置によって、リンク１４の起立／傾倒動作用の伸縮装置２０を駆動させ、リンク１４を立設させる。この動作により、回転体１２に対してフレーム１５が平行運動し、当該フレーム１５及び台座１８が通路５ａの上方にせりあがる。
【００３１】
次に、伸縮制御装置によって、フレーム１５の傾斜角度調整用の伸縮装置２５を駆動させつつ、延長フレーム１７を主フレーム１６から伸縮するための駆動モータを駆動させて、フレーム１５の全長を伸ばしつつ、当該フレーム１５の先端部を上方へ持ち上げる。この動作により、演技者が２階席７の客席４に座っているお客に接近可能となるので、お客は演技者を間近で見ることが可能となる。
【００３２】
更に、図６に示すように、回転体１２を回転駆動するための駆動モータを駆動させて、回転体１２を時計回り又は半時計回りに回転させて、フレーム１５を左右方向に移動させる。
【００３３】
この動作により、演技者が２階席７の左右の客席４に座っているお客に対しても接近可能となるので、劇場の来客者のすべてに対して同様の感動を与えることが可能となる。
【００３４】
また、各伸縮装置２０、２５に対応する伸縮制御装置を適宜駆動制御するとともに、各駆動モータを適宜駆動させることで、フレーム１５の傾斜角制御、フレーム１５の伸縮制御、及びフレーム１５の左右方向への回動制御を組み合わせて、通路５ａ上方の空間を演技者は自由に移動可能となるため、お客に対して斬新な印象を与えることが可能となる。また、従来は舞台の近くのお客と２階席のお客との間に盛り上がりの温度差が生じていたものの、その温度差を縮めることが可能となる。例えば、コンサートであれば、すべてのお客に歌手が接近可能となるので、非常に盛り上がり、演出効果に優れる。また、演技者は舞台上で様々なパフォーマンスを見せるのみだったが、舞台５又は通路５ａ上方の空間のすべてを舞台として利用できることとなり、演出の幅が広がる。このように本実施形態の舞台演出装置Ｓは、視覚的に見ても楽しいため演出効果を非常に高めることが可能となる。
【００３５】
なお、本実施形態は一形態であって、この形態に限定されるものではない。
【図面の簡単な説明】
【００３６】
【図１】劇場の内部構造図である。
【図２】舞台演出装置の構成図である。
【図３】舞台演出装置の部分拡大図である。
【図４】台座を水平状態に維持するための機構を説明するための図である。
【図５】舞台演出装置を通路下方に収容した際の平面図である。
【図６】舞台演出装置の平面図である。
【符号の説明】
【００３７】
Ｓ  舞台演出装置
１２  回転体
１４  リンク
１５  フレーム
２０、２５  伸縮装置
【図１】
2009201698.tif 000003
【図２】
2009201698.tif 000004
【図３】
2009201698.tif 000005
【図４】
2009201698.tif 000006
【図５】
2009201698.tif 000007
【図６】
2009201698.tif 000008